【手続補正書】
【提出日】平成20年9月12日(2008.9.12)
【手続補正１】
【補正対象書類名】明細書
【補正対象項目名】発明の名称
【補正方法】変更
【補正の内容】
【発明の名称】調査システム
【手続補正２】
【補正対象書類名】特許請求の範囲
【補正対象項目名】全文
【補正方法】変更
【補正の内容】
【特許請求の範囲】
【請求項１】
無線チップが装着された物と、
店舗の売場の入口に配置された売場入口アンテナと、
前記売場の内部の複数のポイントに配置された複数の売場内アンテナと、
前記売場の出口に配置された売場出口アンテナと、
情報処理装置と、
データベースとを有し、
前記売場入口アンテナは、前記店舗への来店者が前記物を持って前記入口に近づくと、前記無線チップに当該入口の情報を書き込む手段を有し、
前記複数の売場内アンテナのうち任意のアンテナは、前記来店者が前記物を持って当該アンテナの設置されたポイントに近づくと、前記無線チップに当該ポイントの情報を書き込む手段を有し、
前記売場出口アンテナは、前記来店者が前記物を持って前記レジ装置に到達すると、前記無線チップに当該レジ装置の情報を書き込む手段を有し、
前記情報処理装置は前記無線チップに書き込まれた情報を読み取る手段を有し、
前記データベースは前記情報処理装置によって読み出された情報を記憶する手段を有することを特徴とする調査システム。
【請求項２】
無線チップが装着された物と、
店舗の売場の入口に配置された売場入口アンテナと、
前記売場の内部の複数のポイントに配置された複数の売場内アンテナと、
前記売場の出口に配置された売場出口アンテナと、
情報処理装置が設けられ、前記売場の出口に配置されたレジ装置と、
データベースとを有し、
前記売場入口アンテナは、前記店舗への来店者が前記物を持って前記入口に近づくと、前記無線チップに当該入口の情報を書き込む手段を有し、
前記複数の売場内アンテナのうち任意のアンテナは、前記来店者が前記物を持って当該アンテナの設置されたポイントに近づくと、前記無線チップに当該ポイントの情報を書き込む手段を有し、
前記売場出口アンテナは、前記来店者が前記物を持って前記レジ装置に到達すると、前記無線チップに当該レジ装置の情報を書き込む手段を有し、
前記情報処理装置は前記無線チップに書き込まれた情報を読み取る手段を有し、
前記データベースは前記情報処理装置によって読み出された情報を記憶する手段を有することを特徴とする調査システム。
【請求項３】
無線チップが装着された物と、
店舗の売場の入口に配置された売場入口アンテナと、
前記売場の内部の複数のポイントに配置された複数の売場内アンテナと、
前記売場の出口に配置された売場出口アンテナと、
情報処理装置が設けられ、前記売場の出口に配置されたレジ装置と、
データベースとを有し、
前記売場入口アンテナは、前記店舗への来店者が前記物を持って前記入口に近づくと、前記無線チップに当該入口の情報を書き込む手段を有し、
前記複数の売場内アンテナのうち任意のアンテナは、前記来店者が前記物を持って当該アンテナの設置されたポイントに近づくと、前記無線チップに当該ポイントの情報を書き込む手段を有し、
前記売場出口アンテナは、前記来店者が前記物を持って前記レジ装置に到達すると、前記無線チップに当該レジ装置の情報を書き込む手段を有し、
前記情報処理装置は前記無線チップに書き込まれた情報を読み取る手段と、前記来店者の個人情報を取得する手段とを有し、
前記データベースは前記無線チップから読み出された情報と当該個人情報とを関連付けて記憶する手段を有することを特徴とする調査システム。
【請求項４】
無線チップが装着された物と、
店舗の売場の入口に配置された売場入口アンテナと、
前記売場の内部の複数のポイントに配置された複数の売場内アンテナと、
前記売場の出口に配置された売場出口アンテナと、
情報処理装置が設けられ、前記売場の出口に配置されたレジ装置と、
データベースとを有し、
前記売場入口アンテナは、前記店舗への来店者が前記物を持って前記入口に近づくと、前記無線チップに当該入口の情報を書き込む手段を有し、
前記複数の売場内アンテナのうち任意のアンテナは、前記来店者が前記物を持って当該アンテナの設置されたポイントに近づくと、前記無線チップに当該ポイントの情報を書き込む手段を有し、
前記売場出口アンテナは、前記来店者が前記物を持って前記レジ装置に到達すると、前記無線チップに当該レジ装置の情報を書き込む手段を有し、
前記情報処理装置は前記無線チップに書き込まれた情報を読み取る手段と、前記来店者の購入金額の情報を取得する手段とを有し、
前記データベースは前記無線チップから読み出された情報と当該購入金額の情報とを関連づけて記憶する手段を有することを特徴とする調査システム。
【請求項５】
無線チップが装着された物と、
店舗の売場の入口に配置された売場入口アンテナと、
前記売場の内部の複数のポイントに配置された複数の売場内アンテナと、
前記売場の出口に配置された売場出口アンテナと、
情報処理装置が設けられ、前記売場の出口に配置されたレジ装置と、
データベースとを有し、
前記売場入口アンテナは、前記店舗への来店者が前記物を持って前記入口に近づくと、前記無線チップに当該入口の情報を書き込む手段を有し、
前記複数の売場内アンテナのうち任意のアンテナは、前記来店者が前記物を持って当該アンテナの設置されたポイントに近づくと、前記無線チップに当該ポイントの情報を書き込む手段を有し、
前記売場出口アンテナは、前記来店者が前記物を持って前記レジ装置に到達すると、前記無線チップに当該レジ装置の情報を書き込む手段を有し、
前記情報処理装置は前記無線チップに書き込まれた情報を読み取る手段と、前記来店者の購入した商品の情報を取得する手段とを有し、
前記データベースは前記無線チップから読み出された情報と当該商品の情報とを関連づけて記憶する手段を有することを特徴とする調査システム。
【請求項６】
無線チップが装着された物と、
店舗の売場の入口に配置された売場入口アンテナと、
前記売場の内部の複数のポイントに配置された複数の売場内アンテナと、
前記売場の出口に配置された売場出口アンテナと、
情報処理装置が設けられ、前記売場の出口に配置されたレジ装置と、
データベースとを有し、
前記売場入口アンテナは、前記店舗への来店者が前記物を持って前記入口に近づくと、前記無線チップに開始情報と当該入口の位置情報と当該入口に近づいたときの時刻情報とを書き込む手段を有し、
前記複数の売場内アンテナのうち任意のアンテナは、前記来店者が前記物を持って当該アンテナの設置されたポイントに近づくと、前記無線チップに当該ポイントの位置情報と当該ポイントに近づいたときの時刻情報とを書き込む手段を有し、
前記売場出口アンテナは、前記来店者が前記物を持って前記レジ装置に到達すると、前記無線チップに終了情報と当該レジ装置に到達したときの時刻情報とを書き込む手段を有し、
前記情報処理装置は前記無線チップに書き込まれた情報を読み取る手段と、前記来店者の購入した商品の情報を取得する手段と、割引情報を取得する手段と、当該割引情報に基づいて当該商品の価格を設定する手段とを有し、
前記データベースは、前記無線チップから読み出された情報と当該商品の情報とを関連づけて記憶する手段と、前記商品の情報が所定の商品の情報と一致し、且つ、前記無線チップから読み出された情報の前記開始情報と前記終了情報との間の時間情報が所定の時間内であるとき、当該商品の割引情報を前記情報処理装置へ出力する手段とを有することを特徴とする調査システム。
【請求項７】
請求項１乃至請求項６のいずれか一において、
前記物とは、かごまたはカートであることを特徴とする調査システム。
【請求項８】
無線チップが装着された物と、
イベント会場の入口に配置された会場入口アンテナと、
前記イベント会場の内部の複数のポイントに配置された複数の会場内アンテナと、
前記イベント会場の出口に配置された会場出口アンテナと、
情報処理装置と、
データベースとを有し、
前記会場入口アンテナは、前記イベント会場への来場者が前記物を持って前記入口に近づくと、前記無線チップに当該入口の情報を書き込む手段を有し、
前記複数の会場内アンテナのうち任意のアンテナは、前記来場者が前記物を持って当該アンテナの設置されたポイントに近づくと、前記無線チップに当該ポイントの情報を書き込む手段を有し、
前記会場出口アンテナは、前記来場者が前記物を持って前記出口に到達すると、前記無線チップに当該出口の情報を書き込む手段を有し、
前記情報処理装置は前記無線チップに書き込まれた情報を読み取る手段を有し、
前記データベースは前記情報処理装置によって読み出された情報を記憶する手段を有することを特徴とする調査システム。
【請求項９】
無線チップが装着された物と、
イベント会場の入口に配置された会場入口アンテナと、
前記イベント会場の内部の複数のポイントに配置された複数の会場内アンテナと、
前記イベント会場の出口に配置された会場出口アンテナと、
前記出口に配置された情報処理装置と、
データベースとを有し、
前記会場入口アンテナは、前記イベント会場への来場者が前記物を持って前記入口に近づくと、前記無線チップに当該入口の情報を書き込む手段を有し、
前記複数の会場内アンテナのうち任意のアンテナは、前記来場者が前記物を持って当該アンテナの設置されたポイントに近づくと、前記無線チップに当該ポイントの情報を書き込む手段を有し、
前記会場出口アンテナは、前記来場者が前記物を持って前記出口に到達すると、前記無線チップに当該出口の情報を書き込む手段を有し、
前記情報処理装置は前記無線チップに書き込まれた情報を読み取る手段を有し、
前記データベースは前記情報処理装置によって読み出された情報を記憶する手段を有することを特徴とする調査システム。
【請求項１０】
無線チップが装着された物と、
イベント会場の入口に配置された会場入口アンテナと、
前記イベント会場の内部の複数のポイントに配置された複数の会場内アンテナと、
前記イベント会場の出口に配置された会場出口アンテナと、
前記出口に配置された情報処理装置と、
データベースとを有し、
前記会場入口アンテナは、前記イベント会場への来場者が前記物を持って前記入口に近づくと、前記無線チップに当該入口の情報を書き込む手段を有し、
前記複数の会場内アンテナのうち任意のアンテナは、前記来場者が前記物を持って当該アンテナの設置されたポイントに近づくと、前記無線チップに当該ポイントの情報を書き込む手段を有し、
前記会場出口アンテナは、前記来場者が前記物を持って前記出口に到達すると、前記無線チップに当該出口の情報を書き込む手段を有し、
前記情報処理装置は前記無線チップに書き込まれた情報を読み取る手段と、前記来場者の個人情報を取得する手段とを有し、
前記データベースは前記無線チップから読み出された情報と当該個人情報とを関連付けて記憶する手段を有することを特徴とする調査システム。
【請求項１１】
無線チップが装着された物と、
イベント会場の入口に配置された会場入口アンテナと、
前記イベント会場の内部の複数のポイントに配置された複数の会場内アンテナと、
前記イベント会場の出口に配置された会場出口アンテナと、
前記出口に配置された情報処理装置と、
データベースとを有し、
前記会場入口アンテナは、前記イベント会場への来場者が前記物を持って前記入口に近づくと、前記無線チップに当該入口の情報を書き込む手段を有し、
前記複数の会場内アンテナのうち任意のアンテナは、前記来場者が前記物を持って当該アンテナの設置されたポイントに近づくと、前記無線チップに当該ポイントの情報を書き込む手段を有し、
前記会場出口アンテナは、前記来場者が前記物を持って前記出口に到達すると、前記無線チップに当該出口の情報を書き込む手段を有し、
前記情報処理装置は前記無線チップに書き込まれた情報を読み取る手段と、前記来場者の購入金額の情報を取得する手段とを有し、
前記データベースは前記無線チップから読み出された情報と当該購入金額の情報とを関連付けて記憶する手段を有することを特徴とする調査システム。
【請求項１２】
無線チップが装着された物と、
イベント会場の入口に配置された会場入口アンテナと、
前記イベント会場の内部の複数のポイントに配置された複数の会場内アンテナと、
前記イベント会場の出口に配置された会場出口アンテナと、
前記出口に配置された情報処理装置と、
データベースとを有し、
前記会場入口アンテナは、前記イベント会場への来場者が前記物を持って前記入口に近づくと、前記無線チップに当該入口の情報を書き込む手段を有し、
前記複数の会場内アンテナのうち任意のアンテナは、前記来場者が前記物を持って当該アンテナの設置されたポイントに近づくと、前記無線チップに当該ポイントの情報を書き込む手段を有し、
前記会場出口アンテナは、前記来場者が前記物を持って前記出口に到達すると、前記無線チップに当該出口の情報を書き込む手段を有し、
前記情報処理装置は前記無線チップに書き込まれた情報を読み取る手段と、前記来場者の購入した商品の情報を取得する手段とを有し、
前記データベースは前記無線チップから読み出された情報と当該商品の情報とを関連付けて記憶する手段を有することを特徴とする調査システム。
【請求項１３】
無線チップが装着された物と、
イベント会場の入口に配置された会場入口アンテナと、
前記イベント会場の内部の複数のポイントに配置された複数の会場内アンテナと、
前記イベント会場の出口に配置された会場出口アンテナと、
前記出口に配置された情報処理装置と、
データベースとを有し、
前記会場入口アンテナは、前記イベント会場への来場者が前記物を持って前記入口に近づくと、前記無線チップに開始情報と当該入口の位置情報と当該入口に近づいたときの時刻情報とを書き込む手段を有し、
前記複数の会場内アンテナのうち任意のアンテナは、前記来場者が前記物を持って当該アンテナの設置されたポイントに近づくと、前記無線チップに当該ポイントの位置情報と当該ポイントに近づいたときの時刻情報とを書き込む手段を有し、
前記会場出口アンテナは、前記来場者が前記物を持って前記出口に到達すると、前記無線チップに終了情報と当該出口に到達したときの時刻情報とを書き込む手段を有し、
前記情報処理装置は前記無線チップに書き込まれた情報を読み取る手段と、前記来場者の個人情報を取得する手段と、割引情報を取得する手段と、当該割引情報に基づいて当該商品の価格を設定する手段とを有し、
前記データベースは前記無線チップから読み出された情報と当該個人情報とを関連付けて記憶する手段と、前記商品の情報が所定の商品の情報と一致し、且つ、前記無線チップから読み出された情報の前記開始情報と前記終了情報との間の時間情報が所定の時間内であるとき、当該商品の割引情報を前記情報処理装置へ出力する手段とを有することを特徴とする調査システム。
【請求項１４】
請求項８乃至請求項１３のいずれか一において、
前記無線チップに情報が書き込まれないように前記物を覆う金属のケースを有することを特徴とする調査システム。
【請求項１５】
請求項８乃至請求項１４のいずれか一において、
前記物とは、入場券、クーポン券または会員証であることを特徴とする調査システム。